(57)【要約】【課題】資源消費の低減、環境に対する負荷低減を図る環境にやさしい腰ベルトを提供することを目的とする。【解決手段】化学繊維からなる経糸３、緯糸４を製織したベルト主体１を有する腰ベルトにおいて、経糸３、緯糸４を再生プラスチックによって形成する。再生プラスチックは、再生したＰＥＴ樹脂であったり、再生したポリエステルなどである。プラスチックの再生利用により資源消費の低減、環境に対する負荷低減を図ることができる。【選択図】図１
0003151881.tif 000002
【実用新案登録請求の範囲】
【請求項１】
ベルト主体に留め具を設けた腰ベルトにおいて、前記ベルト主体を再生プラスチックによって形成したことを特徴とする腰ベルト。
【請求項２】
化学繊維からなる糸を製織したベルト主体に留め具を有する腰ベルトにおいて、前記糸を再生プラスチックによって形成したことを特徴とする腰ベルト。
【請求項３】
前記再生プラスチックは、再生したＰＥＴ樹脂であることを特徴とする請求項２記載の腰ベルト。
【請求項４】
前記再生プラスチックは、再生したポリエステルであることを特徴とする請求項２記載の腰ベルト。
【考案の詳細な説明】
【技術分野】
【０００１】
本考案は、土木、建築、農業などの作業用、魚釣りなどのレジャー用、さらには日常に使用するカジュアル用としてズボンやスカートに使用することができる腰ベルトに関する。
【背景技術】
【０００２】
従来、この種のものとして芯材の外周を裏面にビニル樹脂加工を施したポリアミド繊維布からなる外皮を被覆し、この外皮の表面に当該外皮よりも細幅のポリエステル繊維布の表皮を縫着してベルト主体を形成し、該ベルト主体に留め具等を取り付けた、ベルト主体がプラスチック製のベルトが知られている。（例えば、特許文献１）。
【先行技術文献】
【特許文献】
【０００３】
【特許文献１】実用新案登録第３０６１６２１号公報
【考案の概要】
【考案が解決しようとする課題】
【０００４】
近年、資源消費の低減、環境に対する負荷低減などの環境に優しく、また環境保全に貢献できる製品が望まれている。
【０００５】
しかしながら、従来技術のベルト主体においては、原油を原料として糸を製造し、この糸を製織、染色して織布を形成しているものであった。
【０００６】
このため、従来の原油を利用するようなベルト主体にあっては、資源消費の低減、環境に対する負荷低減というものではなく、いわゆる環境にやさしい製品ではなかった。
【０００７】
解決しようとする問題点は、資源消費の低減、環境に対する負荷低減を図る環境にやさしい腰ベルトを提供することを目的とする。
【課題を解決するための手段】
【０００８】
請求項１の考案は、ベルト主体に留め具を設けた腰ベルトにおいて、前記ベルト主体を再生プラスチックによって形成したことを特徴とする腰ベルトである。
【０００９】
請求項２の考案は、化学繊維からなる糸を製織したベルト主体に留め具を有する腰ベルトにおいて、前記糸を再生プラスチックによって形成したことを特徴とする腰ベルトである。
【００１０】
請求項３の考案においては、前記再生プラスチックは、再生したＰＥＴ樹脂であることを特徴とする請求項２記載の腰ベルトである
請求項４の考案においては、前記再生プラスチックは、再生したポリエステルであることを特徴とする請求項２記載の腰ベルトである
【考案の効果】
【００１１】
請求項１の考案によれば、プラスチックの再生利用によりベルト主体を形成して資源消費の低減、環境に対する負荷低減を図ることができる。
【００１２】
請求項２の考案によれば、プラスチックの再生利用によりベルト主体の糸を形成して資源消費の低減、織布により強度を確保でき、さらに環境に対する負荷低減を図ることができる。
【００１３】
請求項３の考案によれば、ＰＥＴ樹脂のリサイクルを高めることができる。
【００１４】
請求項４の考案によれば、強度も十分あるベルトを提供することができる。
【図面の簡単な説明】
【００１５】
【図１】本考案の第１実施例を示す一部を拡大した斜視図である。
【考案を実施するための最良の形態】
【００１６】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００１７】
図１は実施例１を示しており、ベルトは、細長いベルト主体１の端部にバックルなどの留め具（止め具）２を設けたものであり、ベルト主体１は、ベルト主体１の長手方向に配置される経糸３と、この経糸３に対して交差方向に配置される緯糸４とを製織して織布としたものであり、この織布は例えば黄色や青色に染色がなされている。
【００１８】
前記経糸３、緯糸４は、再生プラスチックによって形成されたものであり、例えばペット（ＰＥＴ）ボトルを再利用する方法としては、例えばペットボトルを粉砕したフレークを洗浄し、そしてフレークを化学処理し、この造粒を利用して経糸３、緯糸４を形成し、そして製織したものである。そして、染色にあっては環境に配慮して、有害物質と認められるような物をしないようにしている。
【００１９】
また、再生プラスチックとしては、ポリエステル樹脂も可能である。ここで再生ポリエステル樹脂とは、産業廃棄物、家庭廃棄物等に含まれるポリエステル樹脂製の製品を処理して再利用可能としたものであり、例えば、家庭等から廃棄される使用済みのボトル、卵などのケース、総菜等の販売に使用されるケース、あるいは工場等から産業廃棄物として回収されるフィルム、ビデオテープ等の規格外品などのポリエステル樹脂からなる製品を化学処理などによって、成形品原料として再利用可能にした樹脂である。尚、ここで再生プラスチックとは少なくとも一部をリサイクルされたプラスチックを含むものをいい、製造過程で生じたフィルムの端材を100%利用したようなものでもよい。
【００２０】
尚、ベルトの製造にあたっては、複数種類の幅、長さ、色や或いはバックル等留め具を揃えて、用途によって各種のものを組み合わせて行う。
【００２１】
したがって、ズボンやスカートのベルト通し（図示せず）にベルト主体１を通して、留め具２で留めて使用するものである。
【００２２】
以上のように、前記実施例では請求項１に対応して、ベルト主体１に留め具２を設けた腰ベルトにおいて、前記ベルト主体１を再生プラスチックによって形成したことで、プラスチックの再生利用により資源消費の低減、環境に対する負荷低減を図ることができる。このため、昨今、温暖化や異常気象など、生活環境を取り巻く状況が悪化している現状であり、環境対策が企業ばかりでなく、世界レベルで協議されている。このような観点から、環境にやさしい従来にないベルトを提供することができる。
【００２３】
また、前記実施例では請求項２に対応して、化学繊維からなる経糸３、緯糸４を製織したベルト主体１に留め具２を有する腰ベルトにおいて、経糸３、緯糸４を再生プラスチックによって形成したことにより、織布により強度を確保でき、さらにプラスチックの再生利用により資源消費の低減、環境に対する負荷低減を図ることができる。このため、昨今、温暖化や異常気象など、生活環境を取り巻く状況が悪化している現状であり、環境対策が企業ばかりでなく、世界レベルで協議されている。このような観点から、環境にやさしい従来にないベルトを提供することができる。
【００２４】
さらに、前記実施例では請求項３に対応して、前記再生プラスチックは、再生したＰＥＴ樹脂であることにより、ＰＥＴ樹脂のリサイクルを高めることができる。
【００２５】
また、前記実施例では請求項４に対応して、前記再生プラスチックは、再生したポリエステルであることにより、強度も十分あるベルトを提供することができる。
【産業上の利用可能性】
【００２６】
以上のように本考案にかかる腰ベルトは、各種の用途に適用できる。
【符号の説明】
【００２７】
１  ベルト主体
２  留め具
３  経糸
４  緯糸
【図１】
0003151881.tif 000003